(57)【要約】  コレット式迅速接続流体継手は、案内具（３２）の溝（３６）内に収納された自己心出し構造を含む。溝と自己心出し脚部（２８）は、管（３８）がハウジング（２２）に挿入されるとき、コレット（２６）がハウジング内でほぼ中心にあることを保証する。このことが管（３８）に対するコレットの心ずれを防ぐ。好ましい実施形態において、コレット（２６）は、案内具（３２）の面に沿ってカム作用をする傾斜面（３０）を内側に向いた面上に有し、管（３８）がハウジング（２２）に挿入されるとき、コレット（２６）が拡張するのを助ける。
2007524789.tif 000002
【特許請求の範囲】
【請求項１】
流体処理結合アセンブリであって、
管を収納するハウジングと、
前記ハウジング内に収納されたコレット保持具であって、前記コレット保持具は、中心軸の周りに概ね円周状に広がり、円周上の１箇所にエクスパンション・ギャップを有し、且つ前記ハウジングの中心軸の周りに概ね心出しされることを保証する自己心出し構造が設けられている、コレット保持具と、
前記コレット保持具の内側に配置されるアプセット部を備えることによって、前記ハウジング内に保持された管と、
を含むアセンブリ。
【請求項２】
前記コレット保持具の自己心出し構造が、軸方向に内側へ延伸し、且つ溝内に収納されて前記コレット保持具の心出しをする脚部を含む、請求項１に記載のアセンブリ。
【請求項３】
前記コレット保持具の軸方向内側に案内具が配置され、前記案内具部材が、前記脚部を収納するための前記溝を含み且つ前記コレット保持具の心出しを行なう、請求項２に記載のアセンブリ。
【請求項４】
前記コレットが、傾斜し角度が付いて内側に向いた面を有し、管が前記コレット保持具を軸方向に前記ハウジング内へ入れるように動かされると、前記傾斜し内側に向いた面がカム面に接触することになり、前記カム面が、前記コレット保持具の前記傾斜し内側に向き角度が付いた面に、半径方向に外側へ向かってカム作用をさせて、管が前記ハウジング内に入るとき前記コレット保持具が半径方向に拡張するのを助ける、請求項１に記載のアセンブリ。
【請求項５】
前記カム面が、前記コレット保持具の内側へ配置された案内具上にある、請求項４に記載のアセンブリ。
【請求項６】
流体処理結合アセンブリであって、
管を収納するハウジングと、
前記ハウジング内に収納されたコレット保持具であって、前記コレット保持具は、中心軸の周りに概ね円周状に広がっているが、円周上の１箇所にエクスパンション・ギャップを有し、且つコレット保持具が前記ハウジングの中心軸の周りに概ね心出しされるのを保証する自己心出し構造が設けられている、コレット保持具と、
前記コレット保持具の内側に配置されるアプセット部を備えることによって、前記ハウジング内に保持された管と、
を含み、
前記コレットが、傾斜し角度が付いて内側に向いた面を有し、管が前記コレット保持具を軸方向に前記ハウジング内へ入れるように動かされると、前記傾斜し内側に向いた面がカム面に接触することになり、前記カム面が、前記コレット保持具の前記傾斜し内側に向いて角度が付いた面に半径方向外側へカム作用をさせて、管が前記ハウジング内に入るとき前記コレット保持具が半径方向に拡張するのを助ける、アセンブリ。
【請求項７】
前記カム面が、前記コレット保持具の内側へ配置された案内具上にある、請求項６に記載のアセンブリ。
【発明の詳細な説明】
【技術分野】
【０００１】
本出願は、コレット式迅速接続流体処理コネクタに関し、コレットは管ハウジング内で自動的に中心に戻ります。
【背景技術】
【０００２】
流体コネクタ（接続具）は、迅速接続継手として知られるタイプを含む。迅速接続継手は、一般に、管などの流体処理（搬送）部材によって弛緩位置から離れるように付勢される、弾力性のある部分を含んでいる。一般的に、管は、迅速接続保持具（リテーナ）を貫通して迅速接続保持具の弾性部を弛緩位置から移動させる、アプセット部又は拡大部を含む。一旦アプセット部が弾性部を通ると、弾性部は弛緩位置に戻ることができ、管をハウジング構造の中にしっかり固定する。
【０００３】
迅速接続保持具の１つのタイプは、コレット保持具である。コレット保持具では、保持具は一般に円筒形であり、円周上の１箇所にコレット保持具を貫通する遊間（エクスパンション・ギャップ）を有する。アプセット部がコレット保持具に係合すると、コレット保持具はこの拡張間隙で拡張してアプセット部を通すことができる。一旦アプセット部がコレット保持具を通るとコレット保持具はアプセット部の外側で弛緩位置に戻り、管をハウジング内に保持する。
【０００４】
コレット保持具は成功を収めて来た。しかし、コレット保持具の１つの課題は、ハウジングの開口内で心ずれ（偏心）が起り得ることである。これが起って、管がハウジング内に挿入されると、管は、時には、コレット保持具を許容できる位置からなお一層遠くに動かしてしまうことさえある。これは勿論望ましくないことである。
【０００５】
（発明の開示）
開示した本発明の実施形態において、コレット保持具には自己心出し構造が設けられ、管がハウジング内へ挿入されるまで、ハウジングのおおよそ中心の位置にコレット保持具を保持する。より好ましくは、自己心出し構造は、コレットの保持部から延伸していて且つ溝の中に嵌まる脚部を含む。溝は、コレット保持具の内側に配置された案内具（パイロット）の中に形成されるのが好ましい。
【０００６】
もう一つの特徴として、コレット保持具は、管のアプセット部によってコレットが内部に連れて来られたときに案内面に沿ってカム作用をするような、内側に向いた傾斜面を有することが好ましい。傾斜面は、コレット保持具がカム作用を受けてその開いた位置に至るのを助ける。こうして、アプセット部は一層容易にコレット保持具を越えて移動される。この場合もまた、最も好ましい実施形態において、傾斜面に外側に向かってカム作用を受けさせるのは、コレット保持具の内側に配置された案内具である。
【０００７】
本発明のこれら及びその他の特徴は、以下の明細書及び図面から最も良く理解できる。
【発明を実施するための最良の形態】
【０００８】
流体処理アセンブリ２０が図１に例示されている。示されているように、ハウジング２２はコレット保持具２６を保持する外部構造物２４を含む。コレット保持具２６には、軸方向に内側へ延伸する脚部２８が形成されている。更に、コレット保持具２６の内側へ向いた面が、ある傾斜角度で形成される。好ましい実施形態において、この角度はコレット保持具２６の中心軸に対して４５°をなしている。
【０００９】
案内具（パイロット）３２は、傾斜面３０に面する内側端部３４を有する。更に、溝３６が案内具３２内に形成される。図１で分かるように、脚部２８は溝３６内に収納される。溝３６内に脚部２８が置かれることは、管３８が挿入されるまで、コレット保持具がハウジング２２内で少なくともほぼ中心に保たれることを保証する。周知のように、管３８にはアプセット部４０が形成され、アプセット部４０は、ハウジング２２の内側へ移動し、コレット保持具２６を越えて、図１に示すようにしっかりと固定される。
【００１０】
図２は、コレット保持具２６の正面図である。周知のように、コレット保持具は２つの円周端部の間に遊間（エクスパンション・ギャップ）４４を有する。このギャップ（隙間）は、アプセット部４０がコレット保持具２６に係合するときに案内具保持具を半径方向に外側へ拡張させ、アプセット部４０をハウジング２２内へコレット保持具２６を越えて移動させる。ほぼ隙間４４の反対側の円周上の位置に溝４２が形成され、この拡張を更に助ける。
【００１１】
図３は、コレット２６を貫通する断面図であって、傾斜面３０と心出し脚部２８とを示す。
【００１２】
図４に示すように、管３８がまさに挿入されるとき、アプセット部２６は最初、コレット保持具２６の外側の面に接触する。アプセット部４４は、傾斜面３０が案内具３２の端部３４に係合するまで、コレット保持具を内側へ向かって運ぶ。その時、傾斜面３０は端部３４に沿ってカム作用を行ない、コレット保持具２６を半径方向に外側へ溝４２の近傍で拡張させ、隙間４４のところで離れて円周が大きくなり、それによりアプセット部４０がコレット保持具２６を越えて移動できる。その時、コレット保持具２６は、内側へ跳ね返ってアプセット部４０の外側で弛緩位置に戻り、図１に示すように管３８を保持する。
【００１３】
心出し構造物２８及び３６を設けることによって、本発明は、管を挿入する前にコレット保持具がハウジング２２内で適正な位置に置かれることを保証する。更に、傾斜面３０が、この半径方向に外側への拡張を助ける。
【００１４】
本発明の好ましい実施形態を開示したが、当業者にはある種の変更例が本発明の範囲内であることが分かるであろう。従って、本発明の真の範囲と内容を決定するために特許請求の範囲が検討されるべきである。
【図面の簡単な説明】
【００１５】
【図１】図１は、流体処理アセンブリを通る断面図である。
【図２】図２は、本発明によるコレット保持具の正面図である。
【図３】図３は、図２を通る断面図である。
【図４】図４は、管が挿入されているときの、コレット保持具の様子を示す。
【図１】
2007524789.tif 000003
【図２】
2007524789.tif 000004
【図３】
2007524789.tif 000005
【図４】
2007524789.tif 000006
【国際調査報告】
2007524789.tif 000007
2007524789.tif 000008
2007524789.tif 000009